(57)【要約】【課題】毛髪を十分に押さえるための機能を備えることにより、より効果的に毛髪を加温することができるヘアアイロンを提供する。【解決手段】ヘアアイロンでは、髪挟み腕１と髪挟み腕２とがヒンジ３で連結されて開閉可能になっており、加温部１１及び２１が、髪挟み腕１及び２の対向部分に夫々設けられている。髪挟み腕１の両側部に、櫛部４１及び４２が取り付けられている。櫛部４１及び４２の櫛歯の長さは、ヘアアイロンを閉じた状態で髪挟み腕２の両側部に沿うようになっている。櫛歯の長さが十分な長さであるので、大量の毛髪をまとめて押さえることができ、効果的に毛髪を加温して毛髪の形状を整えることができる。また、毛髪を梳きながら毛髪の加温を行うことができる。【選択図】図１
2014068988.tif 000002
【特許請求の範囲】
【請求項１】
毛髪を挟むための二本の髪挟み腕を開閉可能に連結してあり、前記二本の髪挟み腕の互いに対向する対向部分の一方又は両方に、毛髪を加温するための加温部を設けてあるヘアアイロンにおいて、
一方の髪挟み腕の長手方向に櫛歯が並んだ櫛部を、前記一方の髪挟み腕の両側部に設けてあること
を特徴とするヘアアイロン。
【請求項２】
前記一方の髪挟み腕の側部と前記櫛部との間の隙間の長さを変更可能にしてあること
を特徴とする請求項１に記載のヘアアイロン。
【請求項３】
前記一方の髪挟み腕の側部から一部分が突出し、該一部分に前記櫛部が取り付けられる取り付け部材を備え、
該取り付け部材は、前記一部分の突出量が可変になっていること
を特徴とする請求項２に記載のヘアアイロン。
【請求項４】
前記一方の髪挟み腕の内部に、空気中に帯電粒子を発生させる手段を備え、
前記一方の髪挟み腕の側部に、帯電粒子を放出するための放出口を設けてあること
を特徴とする請求項１から３までの何れか一つに記載のヘアアイロン。
【請求項５】
前記櫛部は交換可能になっていること
を特徴とする請求項１から４までの何れか一つに記載のヘアアイロン。
【発明の詳細な説明】
【技術分野】
【０００１】
本発明は、毛髪を挟んで加温することにより毛髪の形状を整えるヘアアイロンに関する。
【背景技術】
【０００２】
従来、二本の髪挟み腕で毛髪を挟んだ上で毛髪を加温することにより毛髪の形状を整えるヘアアイロンが利用されている。このようなヘアアイロンは、対向する二本の髪挟み腕がヒンジで連結され、ヒンジを中心にして一方の髪挟み腕が他方に髪挟み腕に対して揺動することにより、開閉可能になっている。二本の髪挟み腕の対向部分の一部には、毛髪を加温するための二つの加温部が対向して設けられている。二本の髪挟み腕を閉じて毛髪を挟んだ場合、毛髪の一部は二つの加温部に挟まれて加温される。
【０００３】
ヘアアイロンは、例えば、縮れた毛髪を直線状に矯正するか、又は毛髪をカール状に整形する等、毛髪の形状を整えるために用いられる。毛髪がもつれている場合、使用者は、櫛で一旦毛髪を梳いてもつれを矯正し、梳いた状態の毛髪を手で保持しながらヘアアイロンで毛髪を挟むことにより、毛髪の形状を整える作業を行う。特許文献１には、一つの髪挟み腕の対向面から突起が突出したヘアアイロンが開示されている。突起のあるヘアアイロンでは、挟んだ毛髪を突起で押さえることができ、毛髪を加温する作業の効率を上げることができる。
【先行技術文献】
【特許文献】
【０００４】
【特許文献１】特許第３５６８９４９号公報
【発明の概要】
【発明が解決しようとする課題】
【０００５】
特許文献１に開示されたヘアアイロンでは、突起は他方の髪挟み腕へ衝突するので、突起の長さが長すぎる場合は、二本の髪挟み腕を閉じたときの二つの加温部間の隙間が大きくなり、うまく毛髪を挟むことができなくなる。このため、突起の長さにはある程度の制限がある。しかしながら、大量の毛髪をヘアアイロンで挟んだ場合は、突起の長さが足らずに毛髪を抑えきれず、十分に毛髪を加温することができない。従って、毛髪を少量ずつ処理することを余儀なくされ、手間がかかるという問題がある。
【０００６】
本発明は、斯かる事情に鑑みてなされたものであって、その目的とするところは、毛髪を十分に押さえるための機能を備えることにより、より効果的に毛髪を加温することができるヘアアイロンを提供することにある。
【課題を解決するための手段】
【０００７】
本発明に係るヘアアイロンは、毛髪を挟むための二本の髪挟み腕を開閉可能に連結してあり、前記二本の髪挟み腕の互いに対向する対向部分の一方又は両方に、毛髪を加温するための加温部を設けてあるヘアアイロンにおいて、一方の髪挟み腕の長手方向に櫛歯が並んだ櫛部を、前記一方の髪挟み腕の両側部に設けてあることを特徴とする。
【０００８】
本発明においては、ヘアアイロンの一方の髪挟み腕の両側部に、髪挟み腕の長手方向に櫛歯が並んだ櫛部が設けられている。櫛部は髪挟み腕の両側部に設けられているので、櫛歯の長さを、髪挟み腕を閉じた状態で他方の髪挟み腕の側部に沿うような十分な長さにすることができる。櫛歯の長さが十分な長さであるので、ヘアアイロンで毛髪を挟んだ状態で、毛髪を梳くことができ、また、毛髪を押さえながら加温することができる。
【０００９】
本発明に係るヘアアイロンは、前記一方の髪挟み腕の側部と前記櫛部との間の隙間の長さを変更可能にしてあることを特徴とする。
【００１０】
本発明に係るヘアアイロンは、前記一方の髪挟み腕の側部から一部分が突出し、該一部分に前記櫛部が取り付けられる取り付け部材を備え、該取り付け部材は、前記一部分の突出量が可変になっていることを特徴とする。
【００１１】
本発明においては、ヘアアイロンは、櫛部と髪挟み腕との間の隙間の大きさを変更することが可能になっている。隙間の大きさを変更することにより、二つの櫛部の間で櫛歯同士の距離を調整することができる。
【００１２】
本発明に係るヘアアイロンは、前記一方の髪挟み腕の内部に、空気中に帯電粒子を発生させる手段を備え、前記一方の髪挟み腕の側部に、帯電粒子を放出するための放出口を設けてあることを特徴とする。
【００１３】
本発明においては、ヘアアイロンは、帯電粒子を発生させて毛髪に当てる機能を備えている。帯電粒子により毛髪が除電され、また毛髪に水分が補給される。
【００１４】
本発明に係るヘアアイロンは、前記櫛部は交換可能になっていることを特徴とする。
【００１５】
本発明においては、ヘアアイロンの櫛部は交換可能である。毛髪の状態に応じて適切な形状の櫛部を使用することが可能となる。
【発明の効果】
【００１６】
本発明にあっては、ヘアアイロンは毛髪のもつれの矯正と毛髪の加温との両方を実行することが可能となり、使用者は、ヘアアイロンと櫛とを使い分ける必要が無い。また、ヘアアイロンは大量の毛髪をまとめて押さえ、効果的に毛髪を加温して毛髪の形状を整えることができる等、本発明は優れた効果を奏する。
【図面の簡単な説明】
【００１７】
【図１】本実施の形態に係るヘアアイロンの模式的斜視図である。
【図２】ヘアアイロンの模式的正面図である。
【図３】ヘアアイロンの模式的側面図である。
【図４】ヘアアイロンの模式的側面図である。
【図５】第１髪挟み腕の模式的平面図である。
【図６】第１髪挟み腕の模式的底面図である。
【図７】取り付け部材が設けられた部分を拡大した模式的平面図である。
【図８】櫛部を取り付け部から取り外した状態を示す模式図である。
【図９】取り付け部材付近の第１髪挟み腕の内部構造を示す模式的断面図である。
【図１０】スライド部がスライドした状態を示した模式的平面図である。
【図１１】櫛部と第１髪挟み腕の側面との間の隙間を広げた状態のヘアアイロンを示す模式的正面図である。
【図１２】第１髪挟み腕の内部を示す模式的断面図である。
【発明を実施するための形態】
【００１８】
以下本発明をその実施の形態を示す図面に基づき具体的に説明する。
図１は、本実施の形態に係るヘアアイロンの模式的斜視図であり、図２はヘアアイロンの模式的正面図であり、図３及び図４はヘアアイロンの模式的側面図である。ヘアアイロンは、毛髪を挟むための第１髪挟み腕１と第２髪挟み腕２とがヒンジ３で連結されて構成されている。第１髪挟み腕１及び第２髪挟み腕２は、一端を連結したヒンジ３を支点にして開閉可能になっている。図１及び図４は、第１髪挟み腕１及び第２髪挟み腕２が開いた状態を示し、図２及び図３は、第１髪挟み腕１及び第２髪挟み腕２が閉じた状態を示している。第１髪挟み腕１及び第２髪挟み腕２は、互いに対向した対向面を有している。
【００１９】
図５は、第１髪挟み腕１の模式的平面図であり、図６は、第１髪挟み腕１の模式的底面図である。図６には、第１髪挟み腕１の対向面側を示している。第１髪挟み腕１の対向面の他端寄りの部分には、毛髪を加温するための加温部１１が設けられている。同様に、第２髪挟み腕２の対向面の開放端寄りの部分に、加温部２１が設けられている。加温部１１及び加温部２１は、平板状になっており、互いに対向する位置に配置されている。第１髪挟み腕１及び第２髪挟み腕２を閉じた状態では、加温部１１及び加温部２１は接触する。加温部１１及び加温部２１にはヒータが内蔵されており、第１髪挟み腕１及び第２髪挟み腕２が毛髪を挟んで閉じた状態で、加温部１１及び加温部２１は毛髪を加温することができる。なお、ヘアアイロンは、第１髪挟み腕１及び第２髪挟み腕２を閉じた状態でも加温部１１及び加温部２１の間に若干の隙間が存在する形態であってもよい。
【００２０】
第１髪挟み腕１の対向面とは逆側の面には、使用者の操作を受け付ける操作部１２が設けられている。操作部１２は、例えば、加温部１１及び加温部２１で発熱を開始することを指示する操作を受け付ける。
【００２１】
第１髪挟み腕１の側部には、第１髪挟み腕１の長手方向に複数の櫛歯が並んだ櫛部４１及び櫛部４２が取り付けられている。櫛部４１は第１髪挟み腕１の一方の側部に取り付けられ、櫛部４２は第１髪挟み腕１の他方の側部に取り付けられている。櫛部４１及び櫛部４２は、加温部１１の両脇に櫛歯が配置されるような位置に取り付けられている。櫛部４１及び櫛部４２の互いの櫛歯はほぼ平行になっている。櫛部４１及び櫛部４２は第１髪挟み腕１の側部に設けられており、櫛歯を長くしても第２髪挟み腕２に衝突することがないので、櫛歯の長さに制限が無い。このため、櫛歯の長さを、第１髪挟み腕１及び第２髪挟み腕２を閉じた状態で第２髪挟み腕２の側面に沿うような長さにすることができる。なお、櫛歯の長さは、図１〜図４に示す長さよりも長くてもよい。
【００２２】
使用者は、第１髪挟み腕１及び第２髪挟み腕２を手で持って閉じることにより、第１髪挟み腕１及び第２髪挟み腕２の間に毛髪を挟むことができる。櫛部４１及び櫛部４２の櫛歯の長さは、毛髪を挟んだ状態で毛髪を梳くことができるような十分な長さとなっている。使用者は、第１髪挟み腕１及び第２髪挟み腕２の間に挟んだ毛髪を梳いた後で、操作部１２を操作することで加温部１１及び加温部２１による毛髪の加温を開始して、毛髪の形状を整えることができる。また、使用者は、毛髪を梳きながら毛髪の加温を行うこともできる。ヘアアイロンを用いることで、毛髪のもつれの矯正と毛髪の加温との両方を行うことが可能となり、使用者はヘアアイロンと櫛とを使い分ける必要が無い。また、従来のヘアアイロンでは、突起の長さが足りずに毛髪を押さえきれず、十分に毛髪を加温することができなかったのに対し、本実施の形態では、櫛歯の長さが十分な長さであるので、大量の毛髪をまとめて押さえることができ、より効果的に毛髪を加温して毛髪の形状を整えることができる。
【００２３】
櫛部４１は、一部が第１髪挟み腕１の側面から突出した取り付け部材５１に取り付けられており、同様に、櫛部４２は取り付け部材５２に取り付けられている。図７は、取り付け部材５１及び取り付け部材５２が設けられた部分を拡大した模式的平面図である。取り付け部材５１は、第１髪挟み腕１の長手方向に伸びており櫛部４１が取り付けられる取り付け部５１１と、第１髪挟み腕１の短手方向に伸びており第１髪挟み腕１に対してスライドすることが可能なスライド部５１２とを含んだＬ字状の部材である。取り付け部材５２も、同様に、取り付け部５２１及びスライド部５２２を含んだＬ字状の部材である。
【００２４】
図８は、櫛部４１を取り付け部５１１から取り外した状態を示す模式図である。取り付け部５１１には、正面側に開口した挿入穴５１３が形成されている。櫛部４１は、棒状部材に多数の櫛歯を設けて構成されており、棒状部材の櫛歯が設けられていない一端部分を挿入穴５１３へ挿入することによって、取り付け部５１１に取り付けられている。このようにして、櫛部４１は、第１髪挟み腕１の側部に取り付けられている。また、櫛部４１の棒状部材を挿入穴５１３から引き抜くことにより、櫛部４１は第１髪挟み腕１から取り外すことが可能である。このため、櫛部４１は交換することが可能である。櫛部４２も、同様にして取り付けられている。櫛部４１及び櫛部４２が交換可能であるので、櫛歯の長さ又はピッチ等が異なる櫛部４１及び櫛部４２に付け替えることができる。毛髪の長さ、太さ、量及び形状等の状態に応じて、櫛部４１及び櫛部４２を付け替え、毛髪の状態に適した形状の櫛部４１及び櫛部４２を使用して適切に毛髪の形状を整えることが可能となる。
【００２５】
図７に示すように、第１髪挟み腕１の上面部分には、短手方向に溝１５が形成されており、スライド部５１２及びスライド部５２２は、溝１５にはめ込まれている。スライド部５１２及びスライド部５２２の上側には、押さえ板５３，５３が設けられている。押さえ板５３，５３は、スライド部５１２及びスライド部５２２をまたがって第１髪挟み腕１の上面に固定されており、スライド部５１２及びスライド部５２２を上から押さえて移動を抑制する。
【００２６】
図９は、取り付け部材５１及び取り付け部材５２付近の第１髪挟み腕１の内部構造を示す模式的断面図である。スライド部５１２及びスライド部５２２の下側には、中央部が凸状になった凸状プレート５４が配置されている。凸状プレート５４の中央部はスライド部５１２及びスライド部５２２に接触している。凸状プレート５４の下側には、上へ押し上げる向きに凸状プレート５４を付勢するスプリング５５が配置されている。スプリング５５の付勢力により、凸状プレート５４はスライド部５１２及びスライド部５２２に下側から押しつけられる。スライド部５１２及びスライド部５２２は、押さえ板５３，５３と凸状プレート５４との間に挟まれて、移動が抑制される。使用者が第１髪挟み腕１の上からスライド部５１２又はスライド部５２２を押した場合、凸状プレート５４及びスプリング５５が押し下げられ、スライド部５１２又はスライド部５２２と押さえ板５３，５３との間に若干の隙間が生じ、スライド部５１２又はスライド部５２２のスライドが可能になる。
【００２７】
図１０は、スライド部５１２及びスライド部５２２がスライドした状態を示した模式的平面図である。スライド部５１２がスライドすることで、取り付け部材５１の突出量が変化し、取り付け部５１１と第１髪挟み腕１の側面との距離が変更される。櫛部４１を取り付けた取り付け部５１１と第１髪挟み腕１の側面との距離が変更されることにより、櫛部４１と第１髪挟み腕１の側面と間の隙間の大きさが変更される。このようにして、櫛部４１と第１髪挟み腕１の側面との間の隙間の大きさは変更可能になっている。同様に、櫛部４２と第１髪挟み腕１の側面との間の隙間の大きさも変更可能になっている。各櫛部と第１髪挟み腕１の側面との間の隙間の大きさを変更することにより、櫛部４１及び櫛部４２の櫛歯間の距離を変更することができる。図１１は、櫛部４１及び櫛部４２と第１髪挟み腕１の側面との間の隙間を広げた状態のヘアアイロンを示す模式的正面図である。図２に示した状態に比べて、櫛部４１の櫛歯と櫛部４２の櫛歯との間の距離が大きくなっている。第１髪挟み腕１の側面と櫛部４１又は櫛部４２との隙間の大きさは、複数段階で調整することができる。
【００２８】
毛髪が比較的長くて大量である場合、櫛部４１及び櫛部４２の櫛歯間の距離が長い方が、毛髪を効果的に押さえて加温することができる。一方で、毛髪が比較的短い場合は、櫛歯間の距離を短くした方が、毛髪を確実に押さえるのに都合がよい。このように、毛髪の状態に応じて櫛部４１及び櫛部４２と側面との間の隙間の大きさを変更することにより、毛髪の状態に応じて確実に形状を整えるための作業を行うことが可能となる。また、第１髪挟み腕１及び第２髪挟み腕２と櫛部４１及び櫛部４２との間の距離を長くすることにより、加温部１１及び加温部１２と櫛部４１及び櫛部４２との間の距離を長くすることができる。加温部１１及び加温部１２と櫛部４１及び櫛部４２との間の距離が長くなることにより、加温部１１及び加温部１２から櫛部４１及び櫛部４２へ熱が伝わり難くなり、櫛部４１及び櫛部４２が加熱されて使用者が火傷することを防止することができる。また、櫛部４１及び櫛部４２が加熱され難いので、熱による櫛部４１及び櫛部４２の劣化が抑制される。
【００２９】
更に、第１髪挟み腕１は、空気イオンを発生させる手段を備えている。図１２は、第１髪挟み腕１の内部を示す模式的断面図である。第１髪挟み腕１の第２髪挟み腕２に対する対向面側には、加温部１１が配置されている。また、第１髪挟み腕１内の空間には、空気イオン発生部１４が備えられている。空気イオン発生部１４は、針状の放電電極と、放電電極の周囲を囲む円環状の誘導電極とを備えている。放電電極と誘電電極との間に電圧が印加されてコロナ放電が発生し、コロナ放電によって放電電極の周囲に空気イオンが発生する。空気イオン発生部１４は、放電電極と誘電電極との組を二組備えており、Ｈ+ （Ｈ2 Ｏ）m 及びＯ2-（Ｈ2 Ｏ）n 等の正及び負の空気イオンを発生させる。空気イオンは本発明における帯電粒子に対応する。操作部１２は、空気イオン発生部１４で空気イオンの発生を開始することを指示する操作を受け付けることができる。また、第１髪挟み腕１の両側面には、空気イオンを放出するための複数の放出口１３が形成されている。複数の放出口１３は、空気イオン発生部１４が配置された空間に通じている。空気イオン発生部１４が発生させた空気イオンは、図１２中に矢印で示したように、第１髪挟み腕１の側面に設けられた複数の放出口１３から放出される。
【００３０】
使用者は、ヘアアイロンを用いて櫛部４１及び櫛部４２により毛髪を梳きながら、操作部１２を操作することで空気イオンの発生を開始させることができる。複数の放出口１３から空気イオンが放出され、櫛部４１及び櫛部４２に押さえられた毛髪に対して空気イオンが当たることになる。毛髪に空気イオンを当てることにより、毛髪が除電され、また毛髪に水分が補給される。このため、櫛部４１及び櫛部４２が毛髪に通り易くなり、効果的に毛髪のもつれを矯正することが可能となる。また、第１髪挟み腕１及び第２髪挟み腕２で毛髪を挟んで加温部１１及び加温部２１による毛髪の加温を行いながら、空気イオンを毛髪にあてることができる。このとき、空気イオンは、櫛部４１及び櫛部４２と加温部１１及び加温部２１との間に放出されるので、加温部１１及び加温部２１による加温の前後の毛髪に空気イオンが当てられる。加温の前後に空気イオンによって毛髪に水分が補給されるので、熱による毛髪の損傷が抑制される。従って、使用者は、熱による毛髪の損傷を抑制しながら、毛髪の形状を整える作業を行うことができる。
【００３１】
なお、本実施の形態においては、櫛部４１及び櫛部４２を取り付け部材５１及び取り付け部材５２に取り付けた形態を示したが、これは櫛部４１及び櫛部４２を設ける方法の一例であり、ヘアアイロンは、その他の方法で櫛部４１及び櫛部４２を設けた形態であってもよい。例えば、櫛部４１及び櫛部４２は、第１髪挟み腕１の側面から突出し、第１髪挟み腕１の上面方向及び対向面方向へ屈曲することが可能な部材に取り付けた形態であってもよい。この形態では、部材を屈曲させることにより、第１髪挟み腕１の側面に対する櫛部４１及び櫛部４２の櫛歯の角度を変更することができる。使用者が自分の長い毛髪に対してヘアアイロンを使用しようとした場合等、直線状にヘアアイロンを毛髪に通すことが困難な場合には、使用者は、スナップをきかせながら又は回転させながらヘアアイロンを使用することがある。ヘアアイロンにスナップをきかせる場合は、櫛歯の先が狭まるように櫛部４１及び櫛部４２の櫛歯の角度を変更しておくことにより、櫛歯に対する毛髪の通りが良くなり、使用者は毛髪の形状を整える作業を簡単に行うことができる。また、ヘアアイロンを回転させる場合は、櫛歯の先が広がるように櫛部４１及び櫛部４２の櫛歯の角度を変更しておくことにより、回転時に多くの毛髪を櫛部４１及び櫛部４２で押さえることができ、効果的に毛髪を加温して毛髪の形状を整えることができる。このように、櫛歯の角度を変更することにより、ヘアアイロンの使用方法に応じて確実に毛髪の形状を整えるための作業を行うことが可能となる。
【００３２】
また、本実施の形態においては、櫛部４１及び櫛部４２が第１髪挟み腕１から取り外し可能になった形態を示したが、ヘアアイロンは、櫛部４１及び櫛部４２が第１髪挟み腕１に一体に形成された形態であってもよい。この形態であっても、大量の毛髪をまとめて押さえて効果的に毛髪の形状を整えることが可能である。
【００３３】
また、本実施の形態においては、帯電粒子として空気イオンを発生させる形態を示したが、ヘアアイロンは、帯電水等の空気イオン以外の帯電粒子を発生させる形態であってもよい。また、本実施の形態においては、第１髪挟み腕１及び第２髪挟み腕２が一端でヒンジ３によって連結された形態を示したが、ヘアアイロンは、第２髪挟み腕２の途中の位置に第１髪挟み腕１がヒンジ３によって連結された形態であってもよい。また、第１髪挟み腕１及び第２髪挟み腕２の形状は、本実施の形態に示した形状以外の形状であってもよい。例えば、ヘアアイロンは、第２髪挟み腕２の形状が丸棒状であり、第１髪挟み腕１の断面形状が第２髪挟み腕２に外嵌する弧状になった形態であってもよい。また、本実施の形態においては、第１髪挟み腕１及び第２髪挟み腕２の両方に加温部が設けられた形態を示したが、ヘアアイロンは、第１髪挟み腕１及び第２髪挟み腕２の何れか一方のみに加温部が設けられた形態であってもよい。
【符号の説明】
【００３４】
１  第１髪挟み腕
１１  加温部
１３  放出口
１４  空気イオン発生部
２  第２髪挟み腕
２１  加温部
３  ヒンジ
４１、４２  櫛部
５１、５２  取り付け部材
【図１】
2014068988.tif 000003
【図２】
2014068988.tif 000004
【図３】
2014068988.tif 000005
【図４】
2014068988.tif 000006
【図５】
2014068988.tif 000007
【図６】
2014068988.tif 000008
【図７】
2014068988.tif 000009
【図８】
2014068988.tif 000010
【図９】
2014068988.tif 000011
【図１０】
2014068988.tif 000012
【図１１】
2014068988.tif 000013
【図１２】
2014068988.tif 000014